(57)【特許請求の範囲】
【請求項１】
ドラムの胴本体側に固定されるベース体と、該ベース体に対して上下スライド自在に係合され、且つ下端側にスナッピーが連結されるスナッピー保持体と、該スナッピー保持体を前記ベース体に対して上下スライド移動させ、前記スナッピーをドラムヘッドに対して接触／非接触状態に切り換えるための操作レバーとを備えたストレイナー装置であって、前記操作レバーの基端側を、前記ベース体に軸部を介して回動可能に枢支するとともに、前記スナッピー保持体における前記操作レバーの軸部よりも下側部位に一端側が回動可能に連結され、且つ前記操作レバーの基端部から先端側に所定距離離間した途中位置に他端側が同じく回動可能に連結されるリンクを設け、前記操作レバーが上方へ回動することにより前記リンクを介してスナッピー保持体がベース体に対して上方へ引き上げられ、前記操作レバーが下方へ回動することにより同じくリンクを介してスナッピー保持体が下方へ押し下げられることを特徴とするストレイナー装置。
【請求項２】
前記リンクを外側に湾曲して設けるとともに、前記操作レバーの上方への回転動作に伴い、前記リンク他端側の操作レバーとの連結点が、前記リンク一端側の前記スナッピー保持体との連結点と前記操作レバー基端側の枢支点とを通る仮想線上のデッドポイントを超えてベース体中心軸側へ移動し、スナッピーから前記リンクを介して受ける反発力の方向が変化して操作レバーが戻らない安定姿勢となるように構成した請求項１記載のストレイナー装置。
【請求項３】
前記ベース体の内部に、縦方向に沿って前記スナッピー保持体を係合状態でスライド可能に案内する案内溝を形成し、該案内溝内部に弾性部材を突設するとともに前記スナッピー保持体の前記案内溝に対向する側面に前記弾性部材を上下方向に相対移動可能に受け入れる縦長の凹溝を設け、前記操作レバーが上方へ回転して前記連結点が前記デッドポイントとなる位置で、前記弾性部材が前記凹溝の下端壁に当接して変形し、前記連結点がデッドポイントを超えた前記安定姿勢で、前記弾性部材の変形が一部または全て回復した状態で前記凹溝の下端壁に当接し、前記操作レバーが下方へ回転してスナッピー保持体が押し下げられた下方位置で、前記弾性部材が前記凹溝の上端壁に当接してなる請求項２記載のストレイナー装置。
【請求項４】
前記ベース体の内部に、縦方向に沿って前記スナッピー保持体を係合状態でスライド可能に案内する案内溝を形成するとともに、該案内溝に連通して外側方に開口する縦溝を設け、前記スナッピー保持体の移動に伴い前記縦溝内を前記リンクが回動しながら移動するように構成した請求項１〜３の何れか１項に記載のストレイナー装置。
【請求項５】
前記スナッピー保持体の下側部位に、前記縦溝内部に向けて突起するブラケット片を設け、該ブラケット片に前記リンクの一端側を回動可能に連結してなる請求項４記載のストレイナー装置。
【請求項６】
前記スナッピー保持体を、下端側にスナッピーが止着されるスナッピー保持部材と、該スナッピー保持部材に対し張力調整ボルトを介して上下に相対移動可能に外装されるとともに前記リンク一端側が回動可能に連結されるスライド部材とより分割構成してなる請求項１〜５の何れか１項に記載のストレイナー装置。
【請求項７】
前記スライド部材を、前記張力調整ボルトを貫通させる通孔が設けられた上壁を有するとともに一側方及び下方にわたり開放された収納溝を有する断面視略コ字形の合成樹脂製の部材で構成するとともに、該コ字形に開放された収納溝内に前記スナッピー保持部材を上下に相対移動可能に係合し、さらに該スライド部材の前記開放された一側方と反対側の側壁に前記リンクの一端側が連結されるブラケット片を突設してなる請求項６記載のストレイナー装置。
【請求項８】
前記スナッピー保持部材に対し、上方から前記スライド部材の通孔を貫通し、且つ両者を互いに離間する方向に付勢するコイルスプリングを介装した張力調整ボルトを螺合し、該張力調整ボルトの回転により両者の上下相対位置を微調整可能とした請求項７記載のストレイナー装置。
【発明の詳細な説明】
【技術分野】
【０００１】
本発明は、スネアドラムのスナッピー端部を支持するとともにドラムヘッドに対するスナッピーの接触／非接触状態を切り換えるためのストレイナー装置に関する。
【背景技術】
【０００２】
スネアドラムは、上側ドラムヘッド及び下側ドラムヘッドがフープを介して胴本体の両端面を塞ぐように設けられ、これらドラムヘッドの張りを調整するためのヘッド調整装置が上側フープと下側フープとを連結するように等角度間隔をおいて複数個設けられており、胴本体の１８０°対向する位置に設けたストレイナー装置により複数本のスナッピーワイヤよりなるスナッピーを下側ドラムヘッドに接触／非接触するように切り換え可能に保持したものである。
【０００３】
このようなスナッピーを保持するためのストレイナー装置としては、従来、胴本体の外周面に固定されたベース体と、このベース体に対して上下移動自在に取付けられたスナッピー保持体と、このスナッピー保持体を前記ベース体に対して進退移動させ前記スナッピーの可動側端部を下側ドラムヘッドに対して接触または非接触させるスイッチ機構と、前記スナッピー保持体を同じく前記ベース体に対して進退移動させ前記スナッピーの張力を微調整する張力調整ねじ等で構成されたものが提供されている（例えば、特許文献１、２参照。）。
【０００４】
特にスナッピー保持体を移動させてスナッピーの接触／非接触を切り換えるスイッチ機構については、上記特許文献１ではカム機構として、スイッチレバーを回動させると円形カムが移動し、カム孔を介してスライドプレートがスナッピー保持体とともに下降し、スイッチレバーを逆に回動させると、円形カムおよびカム孔を介してスライドプレートがスナッピー保持体とともに引上げられる機構が提案されている。しかしながら、このようなカム機構はカム孔との間に集中荷重が作用して摩耗等によりガタが生じやすく、操作感が低下する原因となる。また接触／非接触時の位置姿勢が機構上不安定となり、上昇（接触）の状態におけるスイッチレバーの移動許容量が少なく、少しのレバーの移動で容易に非接触状態になってしまう構造であった。
【０００５】
また、特許文献２ではスイッチ機構をリンク機構としており、スイッチを上方へ操作すると回動するスイッチに連結されたリンクが上端に連結されたスナッピー保持体の軸を上方へ押し上げる方向へ移動し、間接的にスライド部材を介してスナッピーを接触状態とする機構が提案されている。しかし、このリンク機構は、レバーに連結されたリンクを押し上げてスナッピー保持体を上方向に移動させるものであり、押し上げ当初に軸からスナッピー保持体に作用する斜め方向の力が大きいため、上記カム機構と同様、ガタが生じやすく操作感が低下する原因となるほか、同じく押し上げ当初に斜め方向に作用することから操作に必要な力が大きくなり操作者に負担を与えることとなる。
【０００６】
また、スナッピー保持体を上下移動させる代わりに、レバー部材に張設ロッドを設け、切替レバーを時計方向に所定角度回動させると張設ロッドが下降して胴本体に接近しスナッピー連結部材を緊張状態から解放し、アーム部材の斜面の後端側に接触する結果、スナッピーが緊張状態から解放されて自重により下降するような機構が提案されている（特許文献３参照）。しかし、このような機構は構造が複雑であるとともにスナッピー紐に張設ロッドが直接当接するのでスナッピー紐の負担も大きくなるといった問題があった。
【０００７】
【特許文献１】実開平７−３９０９３号公報
【特許文献２】特開２００５−３３１９２２号公報
【特許文献３】特開２００５−２２７６６０号公報
【発明の開示】
【発明が解決しようとする課題】
【０００８】
そこで、本発明が前述の状況に鑑み、解決しようとするところは、構造が簡単でコスト低減できるとともに、摩耗等によるガタも生じにくく小さな力で容易且つ安定して操作でき、スナッピーにも負担を掛けず、優れた操作感を維持できるストレイナー装置を提供する点にある。
【課題を解決するための手段】
【０００９】
本発明は、前述の課題解決のために、ドラムの胴本体側に固定されるベース体と、該ベース体に対して上下スライド自在に係合され、且つ下端側にスナッピーが連結されるスナッピー保持体と、該スナッピー保持体を前記ベース体に対して上下スライド移動させ、前記スナッピーをドラムヘッドに対して接触／非接触状態に切り換えるための操作レバーとを備えたストレイナー装置であって、前記操作レバーの基端側を、前記ベース体に軸部を介して回動可能に枢支するとともに、前記スナッピー保持体における前記操作レバーの軸部よりも下側部位に一端側が回動可能に連結され、且つ前記操作レバーの基端部から先端側に所定距離離間した途中位置に他端側が同じく回動可能に連結されるリンクを設け、前記操作レバーが上方へ回動することにより前記リンクを介してスナッピー保持体がベース体に対して上方へ引き上げられ、前記操作レバーが下方へ回動することにより同じくリンクを介してスナッピー保持体が下方へ押し下げられることを特徴とするストレイナー装置を構成した。
【００１０】
ここで、前記リンクを外側に湾曲して設けるとともに、前記操作レバーの上方への回転動作に伴い、前記リンク他端側の操作レバーとの連結点が、前記リンク一端側の前記スナッピー保持体との連結点と前記操作レバー基端側の枢支点とを通る仮想線上のデッドポイントを超えてベース体中心軸側へ移動し、スナッピーから前記リンクを介して受ける反発力の方向が変化して操作レバーが戻らない安定姿勢となるように構成することが好ましい。
【００１１】
また、前記ベース体の内部に、縦方向に沿って前記スナッピー保持体を係合状態でスライド可能に案内する案内溝を形成し、該案内溝内部に弾性部材を突設するとともに前記スナッピー保持体の前記案内溝に対向する側面に前記弾性部材を上下方向に相対移動可能に受け入れる縦長の凹溝を設け、前記操作レバーが上方へ回転して前記連結点が前記デッドポイントとなる位置で、前記弾性部材が前記凹溝の下端壁に当接して変形し、前記連結点がデッドポイントを超えた前記安定姿勢で、前記弾性部材の変形が一部または全て回復した状態で前記凹溝の下端壁に当接し、前記操作レバーが下方へ回転してスナッピー保持体が押し下げられた下方位置で、前記弾性部材が前記凹溝の上端壁に当接してなるものが好ましい。
【００１２】
また、前記ベース体の内部に、縦方向に沿って前記スナッピー保持体を係合状態でスライド可能に案内する案内溝を形成するとともに、該案内溝に連通して外側方に開口する縦溝を設け、前記スナッピー保持体の移動に伴い前記縦溝内を前記リンクが回動しながら移動するように構成することが好ましい。
【００１３】
さらに、前記スナッピー保持体の下側部位に、前記縦溝内部に向けて突起するブラケット片を設け、該ブラケット片に前記リンクの一端側を回動可能に連結することが好ましい。
【００１４】
また、前記スナッピー保持体を、下端側にスナッピーが止着されるスナッピー保持部材と、該スナッピー保持部材に対し張力調整ボルトを介して上下に相対移動可能に外装されるとともに前記リンク一端側が回動可能に連結されるスライド部材とより分割構成することが好ましい。
【００１５】
また、前記スライド部材を、前記張力調整ボルトを貫通させる通孔が設けられた上壁を有するとともに一側方及び下方にわたり開放された収納溝を有する断面視略コ字形の合成樹脂製の部材で構成するとともに、該コ字形に開放された収納溝内に前記スナッピー保持部材を上下に相対移動可能に係合し、さらに該スライド部材の前記開放された一側方と反対側の側壁に前記リンクの一端側が連結されるブラケット片を突設することが好ましい。
【００１６】
前記スナッピー保持部材に対し、上方から前記スライド部材の通孔を貫通し、且つ両者を互いに離間する方向に付勢するコイルスプリングを介装した張力調整ボルトを螺合し、該張力調整ボルトの回転により両者の上下相対位置を微調整可能とすることが好ましい。
【発明の効果】
【００１７】
以上にしてなる本願発明に係るストレイナー装置によれば、操作レバーとリンクによる簡単な構造でスイッチ機構を安価に提供できるとともに、操作レバーを上方に回動させる場合、該レバーに連結されたリンクによりスナッピー保持体をほぼ真上方向に引き上げることができ、従来のリンク機構により斜め上に押し上げる構造のものとは違い、少ない力で容易に操作でき、スナッピー保持体とベース体との間にガタが生じることもなく優れた操作感を維持できる。そしてスナッピー接触状態においては、レバーが誤って少し移動しても許容量が大きく容易に非接触状態にはならず、接触状態を安定して維持できる。また、反対に操作レバーを下方に回動させる場合も、リンクによりスナッピー保持体をほぼ真下に押し下げることができ、重力も作用してスナッピー保持体はスムーズに下降することとなる。
【００１８】
また、リンクを外側に湾曲して設けるとともに、操作レバーの上方への回転動作に伴い、前記リンク他端側の操作レバーとの連結点が、前記リンク一端側の前記スナッピー保持体との連結点と前記操作レバー基端側の枢支点とを通る仮想線上のデッドポイントを超えてベース体中心軸側へ移動し、スナッピーから前記リンクを介して受ける反発力の方向が変化して操作レバーが戻らない安定姿勢となるように構成したので、スナッピー接触状態において演奏中に誤って操作レバーに手が触れても簡単にはレバーが下がらず安心して演奏に集中できるとともに、上方へ回動させる際の操作感、安定感が著しく向上する。
【００１９】
また、前記ベース体の内部に、縦方向に沿って前記スナッピー保持体を係合状態でスライド可能に案内する案内溝を形成し、該案内溝内部に弾性部材を突設するとともに前記スナッピー保持体の前記案内溝に対向する側面に前記弾性部材を上下方向に相対移動可能に受け入れる縦長の凹溝を設け、前記操作レバーが上方へ回転して前記連結点が前記デッドポイントとなる位置で、前記弾性部材が前記凹溝の下端壁に当接して変形し、前記連結点がデッドポイントを超えた前記安定姿勢で、前記弾性部材の変形が一部または全て回復した状態で前記凹溝の下端壁に当接し、前記操作レバーが下方へ回転してスナッピー保持体が押し下げられた下方位置で、前記弾性部材が前記凹溝の上端壁に当接してなるので、操作レバーを上げてデッドポイントを過ぎるとスナッピー保持体が若干下がって安定姿勢となるが、弾性部材が下端壁に当接しているためにガタつかず演奏に影響を与えることがない。また、デッドポイントで弾性部材が変形した後に回復して前記安定姿勢となるため、再度弾性部材を変形させなければ操作レバーが下がらないことから演奏中に誤って操作レバーに手が触れても簡単にはレバーが下がらず安心して演奏に集中できるとともに、上方へ回動させる際の操作感、安定感がさらに向上する。また、操作レバーを下方に回転させてスナッピー保持体が押し下げられたスナッピー非接触状態の下方位置においても弾性部材が上端壁に当接しているためガタづかず演奏に影響を与えることがない。
【００２０】
また、ベース体の内部に、縦方向に沿って前記スナッピー保持体を係合状態でスライド可能に案内する案内溝を形成するとともに、該案内溝に連通して外側方に開口する縦溝を設け、前記スナッピー保持体の移動に伴い前記縦溝内を前記リンクが回動しながら移動するように構成したので、結果的に簡単な構造でスナッピー保持体をスムーズに移動させるリンク機構を実現でき、外観性も向上する。
【００２１】
また、スナッピー保持体の下側部位に、縦溝内部に向けて突起するブラケット片を設け、該ブラケット片に前記リンクの一端側を回動可能に連結したので、ブラケット片やリンク連結部が外部から隠れ、優れた外観性を維持できる。
【００２２】
また、スナッピー保持体を、下端側にスナッピーが止着されるスナッピー保持部材と、該スナッピー保持部材に対し張力調整ボルトを介して上下に相対移動可能に外装されるとともに前記リンク一端側が回動可能に連結されるスライド部材とより分割構成したので、スナッピー接触後の張りの微調整の機構をこれら部材間を相対移動させる簡単な構造で実現できる。
【００２３】
また、スライド部材を、張力調整ボルトを貫通させる通孔が設けられた上壁を有するとともに一側方及び下方にわたり開放された収納溝を有する断面視略コ字形の合成樹脂製の部材で構成するとともに、該コ字形に開放された収納溝内に前記スナッピー保持部材を上下に相対移動可能に係合し、さらに該スライド部材の前記開放された一側方と反対側の側壁に前記リンクの一端側が連結されるブラケット片を突設したので、当該合成樹脂製のスライド部材によりスナッピー保持体がベース体に対して摩擦抵抗が少なくスムーズに移動できるとともに、該スライド部材の収納溝に係合するスナッピー保持部材も相対位置をスムーズに微調整できる。
【００２４】
また、スナッピー保持部材に対し、上方から前記スライド部材の通孔を貫通し、且つ両者を互いに離間する方向に付勢するコイルスプリングを介装した張力調整ボルトを螺合し、該張力調整ボルトの回転により両者の上下相対位置を微調整可能としたので、張力調整ボルトを回転させる際、コイルスプリングの付勢力により張力調整ボルト、スライド部材及びスナッピー保持部材がガタつかず安定した一体的姿勢のまま徐々に上下相対位置を微調整でき、スムーズな操作感を実現できる。
【発明を実施するための最良の形態】
【００２５】
次に、本発明の実施形態を添付図面に基づき詳細に説明する。
【００２６】
図１は本発明に係るストレイナー装置の全体構成を示す斜視図、図３は該ストレイナーをドラム胴本体に取り付けた使用状態を示す説明図であり、図１〜９は第１実施形態、図１０〜１４は第２実施形態を示し、図中符号１はストレイナー装置、２はベース体、３はスナッピー保持体、４は操作レバー、５はリンクをそれぞれ示している。
【００２７】
まず、図１〜９に基づき、第１実施形態を説明する。
【００２８】
ストレイナー装置１は、図１〜図３に示すように、ドラムの胴本体１００側に固定されるベース体２と、該ベース体２に対して上下スライド自在に係合され、且つ下端側にスナッピー１０２が連結されるスナッピー保持体３と、該スナッピー保持体３をベース体２に対して上下スライド移動させ、スナッピー１０２をドラムヘッド１０１に対して接触／非接触状態に切り換えるための操作レバー４とを備えている。
【００２９】
そして、図５及び図９にも示すように、操作レバー４の基端側をベース体２に軸部６０を介して回動可能に枢支するとともに、前記スナッピー保持体３における操作レバー４の軸部６０よりも下側部位に一端側５ａが回動可能に連結され、且つ操作レバー４の基端部４０から先端側に所定距離離間した途中位置に他端側５ｂが同じく回動可能に連結されるリンク５を設け、図９の状態から操作レバー４が上方へ回動することにより、リンク５を介してスナッピー保持体３がベース体２に対して上方へ引き上げられ、逆に図５の状態から操作レバー４が下方へ回動することにより、同じくリンク５を介してスナッピー保持体３が下方へ押し下げられるように構成されていることを特徴とする。
【００３０】
なお、本発明に係るストレイナー装置１は、従来からのスネアドラムに広く用いることができ、本実施形態のようにドラム胴本体に直接取付けてもよいし、或いは胴本体から離して設けたフローティングタイプとしてもよい。また、ストレイナー装置１により保持するスナッピー（響き線、Snare Wire）も従来公知のものを広く適用できる。本例では図３に示すように一対のスネアプレート１０３の間に金属製のコイル等からなるスナッピーワイヤ１０４を複数本平行に設け、スネアプレート１０３に取付けられたテープまたは紐１０５をドラムヘッド縁部のフープ１０６に開設されているスリットを通して引き出し、スナッピー保持体３の下端部に止着したものであり、スネアプレート１０３がスナッピーワイヤ１０４とともに下側ドラムヘッド１０１に接触する「内面当たり」タイプを例示しているが、スナッピーの構造、張り方は何ら限定されず、スナッピーワイヤの端部とスネアプレートがフープの外側に引き出された「全面当たり」タイプとしてもよい。
【００３１】
ベース体２は、図８にも示すように２つ割りの金属製の分割ハウジング２０、２１を合着して構成され、合着された内部に縦方向に沿ってスナッピー保持体３を係合状態でスライド可能に案内する案内溝２２が形成されている。また、該案内溝２２に連通して外側方に開口する縦溝２３が設けられており、この縦溝２３内をスナッピー保持体３の上下移動に伴いリンク５が回動しながら移動するように構成されている。ベース体２は金属製とされているが強度を有すれば樹脂その他の素材で構成してもよい。また２つ割りの分割ハウジングで構成する以外にケース本体と蓋とからなる構造やその他の構造を採用することも勿論可能である。
【００３２】
図６に示すように、縦溝２３を構成している各分割ハウジング２０，２１の溝内壁における互いに対向する上側位置には、筒状部２４，２５が内方に突設され、分割ハウジング２０から筒状部２４，２５を貫通し他方の分割ハウジング２１に螺合される取付ボルト２７、及び他のボルト２７Ａ，２７Ｂにより、分割ハウジング２０，２１が互いに合着されると同時に、筒状部２４の先端開口部に段差状に形成された凹部２８内に操作レバー４基端側の筒状摺動部２６を係入させて筒状部２４，２５間に挟み込むことにより該操作レバー４基端側を回動可能に枢支する軸部６０が構成されている。このような軸部６０により操作レバー４は安定かつスムーズに回動可能となるが、このような軸部６０は縦溝２３内に設ける以外に、例えばベース体２の外側に設けてもよい。
【００３３】
スナッピー保持体３は、下端側にスナッピー紐１０５を止着するスナッピー止着部７０を設けたスナッピー保持部材７と、該スナッピー保持部材に対し張力調整ボルト７１を介して上下に相対移動可能に外装されるとともに前記リンク一端側が回動可能に連結されるスライド部材８とより分割構成されている。これにより操作レバー４の操作でスナッピーをドラムヘッドに接触させた状態において、さらに上記張力調整ボルト７１を回してその張り具合を微調整できるように構成されている。
【００３４】
スナッピー保持部材７は、金属製の略直方体形状の本体下端に左右に延びるスナッピー止着部７０を設けた略Ｔ字形状に構成されており、スナッピー止着部７０にはスナッピー紐を挟み込んで止着する止着プレート７６が２本の締付け角ボルト７７，７７により固定されている。また、上方から軸方向に沿って張力調整ボルト７１が挿通される有底のボルト挿通孔７２が形成され、内部に後述するスライド部材８の上壁８０を上方から貫通した張力調整ボルト７１が螺合するナット７５が挿着されている。スナッピーを保持する強度があれば合成樹脂その他の素材で構成することもできる。
【００３５】
より詳しくは、ボルト挿通孔７２の上端開口部には、対面するスライド部材８の上壁８０内面に当接して両者の間を押し広げるように付勢する第１のコイルスプリング７３が装着される第１の拡径空間Ｓ１が形成されている。また、途中部には、前記ナット７５を回転不能に装着できるとともに該ナット７５を上方に付勢する第２のコイルスプリング７４が装着される第２の拡径空間Ｓ２が側方に開口して形成されており、張力調整ボルト７１を回転させる際、コイルスプリング７３，７４の付勢力により張力調整ボルト７１、スライド部材８及びスナッピー保持部材７がガタつかず安定した一体的姿勢のまま徐々に上下相対位置を微調整できるように構成されている。尚、ナット７５を設けることなく、ボルト挿通孔７２に直接張力調整ボルト７１が螺合する雌ネジ部を形成して構成することも可能である。
【００３６】
一方のスライド部材８は、合成樹脂の成形体であり、一側方及び下方にわたって開放される収納溝８１が設けられることにより断面視略コ字形に構成されており、その上壁８０には、収納溝８１内に係合したスナッピー保持部材７に螺合する張力調整ボルト７１を上方から通すための通孔８０ａが穿設されている。また、スライド部材８の前記開放された一側方と反対方向の側壁８２の下側部位には、リンク５の一端側５ａが連結されるブラケット片８３が突設されており、該ブラケット片８３及びリンク５の少なくとも一端側がベース体２の縦溝２３内を上下に移動することとなる。スライド部材８は、金属その他の素材で構成することもできるが、本例のように合成樹脂製とすることで軽量化やベース体２との摺動性能の向上を図ることが好ましい。
【００３７】
スライド部材８のブラケット片８３と操作レバー４の途中位置には、それぞれリンク５の一端側５ａ及び他端側５ｂがそれぞれ回動可能に枢支される軸部６１，６２が設けられている。各軸部６１，６２は、ブラケット片８３及び操作レバー４に対してＴ字状に２方向に突設されており、外側に湾曲した同一形状の２本のリンク５，５が、各々同じ側に突出した軸部間を連結するように設けられている。リンク５は２本で構成する以外に、１本のみで構成したものや３本以上で構成してもよい。
【００３８】
リンク５は上記のとおり外側に湾曲した形状に構成されているため、操作レバー４を上方へ回転させた際には、リンク他端側５ｂの操作レバー４との連結点（軸部６２）が、リンク一端側５ａのブラケット片８３との連結点（軸部６１）と操作レバー基端側の枢支点である軸部６０とを通る仮想線上のデッドポイントを超えてベース体中心軸側へ移動し、スナッピー１０２からリンク５を介して受ける反発力の方向が変化して操作レバー４が戻らない安定姿勢となる。これは湾曲形状によりリンク５が軸部６０に当接せずに逃げるため可能となるが、湾曲形状以外でも可能であり、くの字に屈曲した形状や軸部６０を逃がす形状、例えば溝等を設けたものでもよい。
【００３９】
ベース体２の分割ハウジング２０の外面側には、取付台２９が一体的に設けられており、胴本体１００に形成した通孔１００ａに内面側から取付ネジ１０７を挿通して前記取付台２９のネジ孔２９ａに螺合することで該ベース体２、すなわちストレイナー装置１が胴本体１００の表面上に固定される。また、該ストレイナー装置１とドラムヘッド中心に対して１８０度対称の位置には、調整機構等を有しない図４に示すストレイナー１１が同じく胴本体１００表面上に固定される。ストレイナー装置１のスナッピー止着部７０及びストレイナー１１に構成されている同様の止着部には、フープ１０６のスリットより引き出されたスナッピー１０２両端のスナッピー紐１０５がそれぞれ止着され、スナッピー１０２がドラムヘッド１０１表面上に張設される。このように本例ではストレイナー装置１でスナッピーの接触／非接触の切り替え操作や微調整の機能を担うように構成したが、ストレイナー１１にも微調整機能を備えさせたものや、ストレイナー１１の代わりに同じくストレイナー装置１を設けることもできる。
【００４０】
本例では、一方に設けたストレイナー装置１の操作レバー４でスナッピー１０２の張り状態（接触／非接触）の切り換えが行われる。スナッピー１０２の音響効果を使用せずに演奏するときは操作レバー４によりスナッピー保持部材７を下方向に移動させてドラムヘッド１０１に対し非接触状態とし、音響効果を使用したいときは操作レバー４によりスナッピー保持部材７を上方向に移動させてスナッピー１０２の張力を大きくしてドラムヘッド１０１に接触させる。この接触状態において、さらに張力調整ボルト７１を回してスナッピー保持部材７の上下位置を微調整し、スナッピー１０２の微妙な張力調整を行うことができる。
【００４１】
次に、図１０〜１４に基づき、第２実施形態を説明する。
【００４２】
本実施形態のストレイナー装置１は、図１０に示すように、スナッピー保持体３をスライド案内する案内溝２２内部に弾性部材９２がスナッピー保持体３に向けて突設され、かつ該スナッピー保持体３の前記案内溝２２に対向する側面に、弾性部材９２を上下方向に相対移動可能に受け入れる縦長の凹溝８５が設けられたものである。より詳しくは、図１２、１３に示すように、分割ハウジング２０側の案内溝２２底面に弾性部材９２が一部突出するように嵌合する嵌合穴９０が形成され、該嵌合穴９０に設けたネジ孔９１に螺合するビス９３により弾性部材９２が嵌合穴９０に固定されている。また、スナッピー保持体３を構成しているスライド部材８の側面に凹溝８５が形成され、該凹溝８５内に弾性部材９２を受け入れた状態でスナッピー保持体３が上下に移動することとなる。弾性部材９２は、好ましくはゴムや熱可塑性エラストマーよりなる部材が用いられるが、弾性変形するものであればその他合成樹脂発泡体や皮、繊維などからなる部材でもよい。
【００４３】
そして、操作レバー４を上方へ回転して連結点（軸部６２）がリンク一端側のブラケット片８３との連結点（軸部６１）と操作レバー基端側の枢支点である軸部６０とを通る仮想線上のデッドポイントとなる位置では、図１４（ａ）に示すように弾性部材９２が凹溝下端壁８５ｂに当接して変形する。さらに、連結点（軸部６２）がデッドポイントを超えた安定姿勢では、図１４（ｂ）に示すように弾性部材９２の変形が一部または全て回復した状態で凹溝下端壁８５ｂに当接する。これにより、安定姿勢においてガタつかずに演奏に影響を与えることがなく、再度弾性部材９２を変形させなければ操作レバー４が下がらないことから演奏中に誤って操作レバーに手が触れても簡単にはレバーが下がらないこととなる。なお、本実施形態では、スナッピー保持体３、より具体的にはスライド部材８の側壁８２の上方位置に、前記安定姿勢における操作レバー４またはリンク他端側５ｂに当接する弾性体８４が突設されており、これにより前記安定姿勢において操作レバー４自体あるいはリンク５自体がガタつくことも未然に防止でき、演奏に影響を与えることがないように構成されている。
【００４４】
また、操作レバー４が下方へ回転してスナッピー保持体３が押し下げられた下方位置では、図１４（ｃ）に示すように弾性部材９２が凹溝上端壁８５ａに当接してなるので、ガタづかず、演奏に影響を与えることもない。その他の構造ならびに変形例については、基本的に上記第１実施形態と同じであるので、同一構造については同一符号を付してその説明を省略する。
【００４５】
以上、本発明の実施形態について説明したが、本発明はこうした実施例に何ら限定されるものではなく、例えば操作レバーを胴本体面に平行に横方向に設けるのではなく外方向に設けたものなど、本発明の要旨を逸脱しない範囲において種々なる形態で実施し得ることは勿論である。
【図面の簡単な説明】
【００４６】
【図１】本発明の第１実施形態に係るストレイナー装置を示す斜視図。
【図２】同じくストレイナー装置を示す正面図。
【図３】同じくストレイナー装置の使用状態を示す説明図。
【図４】スナッピーの他端側を支持するストレイナーを示す平面図。
【図５】同じくストレイナー装置を示す左右の縦断面図。
【図６】同じくストレイナー装置を示す前後の縦断面図。
【図７】同じくストレイナー装置のスナッピー保持体を示す斜視図。
【図８】同じくストレイナー装置の横断面図。
【図９】操作レバーを下げた状態のストレイナー装置を示す左右の縦断面図。
【図１０】本発明の第２実施形態に係るストレイナー装置を示す前後の縦断面図。
【図１１】同じくストレイナー装置を示す左右の縦断面図。
【図１２】同じくストレイナー装置の横断面図。
【図１３】同じくストレイナー装置のスライド部材と分割ハウジングの分解斜視図。
【図１４】（ａ）〜（ｃ）は同じくストレイナー装置の操作レバーを上下回転させたときの弾性部材の作用を示す説明図。
【符号の説明】
【００４７】
１  ストレイナー装置            ２  ベース体
３  スナッピー保持体            ４  操作レバー
５  リンク                      ５ａ  一端側
５ｂ  他端側                    ７  スナッピー保持部材
８  スライド部材                １１  ストレイナー
２０，２１  分割ハウジング      ２２  案内溝
２３  縦溝                      ２４，２５  筒状部
２６  筒状摺動部                ２７  取付ボルト
２７Ａ，２７Ｂ  ボルト          ２８  凹部
２９  取付台                    ２９ａ  ネジ孔
４０  基端部                    ６０，６１，６２  軸部
７０  スナッピー止着部          ７１  張力調整ボルト
７２  ボルト挿通孔              ７３，７４  コイルスプリング
７５  ナット                    ７６  止着プレート
７７  角ボルト                  ８０  上壁
８０ａ  通孔                    ８１  収納溝
８２  側壁                      ８３  ブラケット片
８４  弾性体                    ８５  凹溝
８５ａ  凹溝上端壁              ８５ｂ  凹溝下端壁
９０  嵌合穴                    ９１  ネジ孔
９２  弾性部材                  ９３  ビス
１００  胴本体                  １００ａ  通孔
１０１  下側ドラムヘッド        １０２  スナッピー
１０３  スネアプレート          １０４  スナッピーワイヤ
１０５  スナッピー紐            １０６  フープ
１０７  取付ネジ                Ｓ１  拡径空間
Ｓ２  拡径空間
【図１】
0005321018.tif 000002
【図２】
0005321018.tif 000003
【図３】
0005321018.tif 000004
【図４】
0005321018.tif 000005
【図５】
0005321018.tif 000006
【図６】
0005321018.tif 000007
【図７】
0005321018.tif 000008
【図８】
0005321018.tif 000009
【図９】
0005321018.tif 000010
【図１０】
0005321018.tif 000011
【図１１】
0005321018.tif 000012
【図１２】
0005321018.tif 000013
【図１３】
0005321018.tif 000014
【図１４】
0005321018.tif 000015